【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機と、
遊技者が前記遊技機にて遊技を行った結果である遊技履歴を管理する管理装置と、
からなる遊技システムにおいて、
前記管理装置は、遊技者を識別可能な遊技者識別情報に対応付けて当該遊技者の遊技履歴を記憶する遊技履歴記憶手段を備え、
前記遊技機は、
開始操作がなされてから終了操作がなされるまでの期間において遊技者が当該遊技機にて遊技を行った結果による遊技履歴と、当該遊技履歴を前記管理装置において他の遊技履歴と区別するためのデータとを特定可能な遊技履歴情報を生成する遊技履歴情報生成手段と、
前記遊技履歴情報生成手段が生成した遊技履歴情報を出力する遊技履歴情報出力手段と、
を備え、
前記遊技履歴情報出力手段は、遊技履歴情報をコード化した２次元コードを表示手段に表示させることにより遊技履歴情報を出力し、
前記管理装置は、
前記遊技履歴情報をコード化した２次元コードから特定される遊技履歴及び前記データを含む登録要求を受け付ける登録要求受付手段と、
前記登録要求を受け付けたときに、該登録要求に含まれる前記データが、既に登録されているデータと一致するか否かを判定するデータ判定手段と、
前記データ判定手段により前記データが一致しないと判定したことを条件に、該登録要求を行った遊技者の遊技者識別情報と、該登録要求に含まれる遊技履歴と、を対応付けて前記遊技履歴記憶手段に登録する遊技履歴登録手段と、
前記データ判定手段により前記データが一致しないと判定したことを条件に、該データを登録するデータ登録手段と、
を備える
ことを特徴とする遊技システム。
【請求項２】
遊技を行うことが可能であり、遊技者が遊技を行った結果による遊技履歴を管理装置にて管理させることが可能な遊技機において、
開始操作がなされてから終了操作がなされるまでの期間において遊技者が当該遊技機にて遊技を行った結果による遊技履歴と、当該遊技履歴を前記管理装置において他の遊技履歴と区別するためのデータとを特定可能な遊技履歴情報を生成する遊技履歴情報生成手段と、
前記遊技履歴情報生成手段が生成した遊技履歴情報を出力する遊技履歴情報出力手段と、
を備え、
前記遊技履歴情報出力手段は、遊技履歴情報をコード化した２次元コードを表示手段に表示させることにより遊技履歴情報を出力する
ことを特徴とする遊技機。
【請求項３】
遊技者が遊技機にて遊技を行った結果である遊技履歴を管理する管理装置において、
遊技者を識別可能な遊技者識別情報に対応付けて当該遊技者の遊技履歴を記憶する遊技履歴記憶手段と、
前記遊技機から出力され、開始操作がなされてから終了操作がなされるまでの期間において遊技者が当該遊技機にて遊技を行った結果による遊技履歴と、当該遊技履歴を前記管理装置において他の遊技履歴と区別するためのデータとを特定可能な遊技履歴情報をコード化した２次元コードから特定される遊技履歴及び前記データを含む登録要求を受け付ける登録要求受付手段と、
前記登録要求を受け付けたときに、該登録要求に含まれる前記データが、既に登録されているデータと一致するか否かを判定するデータ判定手段と、
前記データ判定手段により前記データが一致しないと判定したことを条件に、該登録要求を行った遊技者の遊技者識別情報と、該登録要求に含まれる遊技履歴と、を対応付けて前記遊技履歴記憶手段に登録する遊技履歴登録手段と、
前記データ判定手段により前記データが一致しないと判定したことを条件に、該データを登録するデータ登録手段と、
を備える
ことを特徴とする管理装置。
【手続補正２】
【補正対象書類名】明細書
【補正対象項目名】発明の名称
【補正方法】変更
【補正の内容】
【発明の名称】遊技機、管理装置及び遊技システム
【手続補正３】
【補正対象書類名】明細書
【補正対象項目名】０００６
【補正方法】変更
【補正の内容】
【０００６】
上記課題を解決するために、本発明の請求項１に記載の遊技システムは、
遊技を行うことが可能な遊技機と、
遊技者が前記遊技機にて遊技を行った結果である遊技履歴を管理する管理装置と、
からなる遊技システムにおいて、
前記管理装置は、遊技者を識別可能な遊技者識別情報に対応付けて当該遊技者の遊技履歴を記憶する遊技履歴記憶手段を備え、
前記遊技機は、
開始操作がなされてから終了操作がなされるまでの期間において遊技者が当該遊技機にて遊技を行った結果による遊技履歴と、当該遊技履歴を前記管理装置において他の遊技履歴と区別するためのデータとを特定可能な遊技履歴情報を生成する遊技履歴情報生成手段と、
前記遊技履歴情報生成手段が生成した遊技履歴情報を出力する遊技履歴情報出力手段と、
を備え、
前記遊技履歴情報出力手段は、遊技履歴情報をコード化した２次元コードを表示手段に表示させることにより遊技履歴情報を出力し、
前記管理装置は、
前記遊技履歴情報をコード化した２次元コードから特定される遊技履歴及び前記データを含む登録要求を受け付ける登録要求受付手段と、
前記登録要求を受け付けたときに、該登録要求に含まれる前記データが、既に登録されているデータと一致するか否かを判定するデータ判定手段と、
前記データ判定手段により前記データが一致しないと判定したことを条件に、該登録要求を行った遊技者の遊技者識別情報と、該登録要求に含まれる遊技履歴と、を対応付けて前記遊技履歴記憶手段に登録する遊技履歴登録手段と、
前記データ判定手段により前記データが一致しないと判定したことを条件に、該データを登録するデータ登録手段と、
を備える
ことを特徴としている。
【手続補正４】
【補正対象書類名】明細書
【補正対象項目名】０００７
【補正方法】変更
【補正の内容】
【０００７】
本発明の請求項２に記載の遊技機は、
遊技を行うことが可能であり、遊技者が遊技を行った結果による遊技履歴を管理装置にて管理させることが可能な遊技機において、
開始操作がなされてから終了操作がなされるまでの期間において遊技者が当該遊技機にて遊技を行った結果による遊技履歴と、当該遊技履歴を前記管理装置において他の遊技履歴と区別するためのデータとを特定可能な遊技履歴情報を生成する遊技履歴情報生成手段と、
前記遊技履歴情報生成手段が生成した遊技履歴情報を出力する遊技履歴情報出力手段と、
を備え、
前記遊技履歴情報出力手段は、遊技履歴情報をコード化した２次元コードを表示手段に表示させることにより遊技履歴情報を出力する
ことを特徴としている。
【手続補正５】
【補正対象書類名】明細書
【補正対象項目名】０００８
【補正方法】変更
【補正の内容】
【０００８】
本発明の請求項３に記載の管理装置は、
遊技者が遊技機にて遊技を行った結果である遊技履歴を管理する管理装置において、
遊技者を識別可能な遊技者識別情報に対応付けて当該遊技者の遊技履歴を記憶する遊技履歴記憶手段と、
前記遊技機から出力され、開始操作がなされてから終了操作がなされるまでの期間において遊技者が当該遊技機にて遊技を行った結果による遊技履歴と、当該遊技履歴を前記管理装置において他の遊技履歴と区別するためのデータとを特定可能な遊技履歴情報をコード化した２次元コードから特定される遊技履歴及び前記データを含む登録要求を受け付ける登録要求受付手段と、
前記登録要求を受け付けたときに、該登録要求に含まれる前記データが、既に登録されているデータと一致するか否かを判定するデータ判定手段と、
前記データ判定手段により前記データが一致しないと判定したことを条件に、該登録要求を行った遊技者の遊技者識別情報と、該登録要求に含まれる遊技履歴と、を対応付けて前記遊技履歴記憶手段に登録する遊技履歴登録手段と、
前記データ判定手段により前記データが一致しないと判定したことを条件に、該データを登録するデータ登録手段と、
を備える
ことを特徴としている。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】